(57)【特許請求の範囲】
【請求項１】
フレームに放水孔が設けられた消火ノズルにおいて；
前記フレーム内に、水流によって前記フレーム内を移動して、前記水流を拡散させる拡散体を設けるとともに、前記拡散体が、前記放水孔よりも大きい球体、又は、円柱体であることを特徴とする消火ノズル。
【請求項２】
前記拡散体は、複数個設けられていることを特徴とする請求項１記載の消火ノズル。  
【請求項３】
前記フレーム下部は、断面半円状に形成されていることを特徴とする請求項１、又は、２記載の消火ノズル。
【発明の詳細な説明】
【技術分野】
【０００１】
この発明は、碍子の洗浄や消火等に用いる消火ノズルに関するものである。
【背景技術】
【０００２】
従来の消火ノズルは、図６に示すように、フレーム１の下部が断面半円状に形成され、該フレーム１には、多数の放水孔３が設けられている（例えば、特許文献１、２参照）。このノズルでは、放水孔３から放出される消火水は、棒状（断面円形状）となってに放出（棒状放水）される（特許文献１の図３、特許文献２の図1、参照）。
【０００３】
【特許文献１】特開２００５−２７９３５４号公報
【特許文献２】実公昭５１−９１９９号公報
【発明の開示】
【発明が解決しようとする課題】
【０００４】
従来例の消火ノズルは、デフレクタを固定するガイドロッドなどの障害物がないため、各方向に確実に棒状放水ができると共に、勢いのある力強い放水が可能である。しかし、その反面、放水孔同士から放出される放水流５の間に隙間（無水領域）７が生じ、該消火ノズルが消火水Ｗを散布すべき領域である、防護領域に対して均一に散水できない、という問題がある。
【０００５】
この発明は、上記事情に鑑み、散水分布を均一化することを目的とする。
【課題を解決するための手段】
【０００６】
この発明は、フレームに放水孔が設けられた消火ノズルにおいて；前記フレーム内に、水流によって前記フレーム内を移動して、前記水流を拡散させる拡散体を設けるとともに、前記拡散体が、前記放水孔よりも大きい球体、又は、円柱体であることを特徴とする。
【０００７】
この発明のフレーム下部は、断面半円状に形成されていることを特徴とする。
【発明の効果】
【０００８】
この発明は、前記フレーム内に、水流によって前記フレーム内を移動して、前記水流を拡散させる拡散体を設けたので、該拡散体は水の流れを受けて、フレーム内を移動し、放水孔を塞いだり、開いたりする。又、前記水は、拡散体に衝突して進行方向を変えられて拡散し、放水孔から放出される。そのため、放水孔から放出される水は、フレーム内に拡散体が存在しない場合（以下、「通常の場合」という）における放水流とは異なった流れを作り出すので、放水孔同士から放出される放流水の間の隙間を補って、散水分布を均一化させる。
また、拡散体をフレーム内に設けることで、放水圧の濃淡ができる。つまり、拡散体が移動して、ある放水孔を塞いでいると、その間、別の放水孔にかかる圧力が高まることになる。言い換えると、拡散体の移動によって放水孔の圧力は、時間経過に伴い変化することになるが、これを水圧の濃淡ということにする。この様に一時的に圧力が高まることにより、放水孔のゴミずまりを防止することができる。
【発明を実施するための最良の形態】
【０００９】
従来例の問題点を解決するには、消火ノズルを回転させる駆動機構を設け,前記消火ノズルを回転させることが考えられる。
しかし、この方法では、設備コストが嵩む上、スプリンクラ消火設備は、通常時（監視時）には、稼動していないため、前記駆動機構の駆動部の品質保証をすることは困難である。従って、この方法は、好適なものとはいえない。
【００１０】
本件発明者は、放水孔同士から放出される放水流の間に、前記隙間（無水領域）が生じても、その隙間に向かって水が飛散するようにすれば、前記問題が解決する、と考え、研究実験を重ねた。その結果、放水孔を有するフレーム内に、水流によって前記フレーム内を移動して、前記水流を拡散させる拡散体を内蔵させれば良いことが分かった。
【００１１】
この様にすると、水は、拡散体に衝突して進行方向を変えられて拡散するとともに、該拡散体の移動により放水孔が塞がれたり、開いたりする。そのため、放水孔から放出される水は、前記通常の場合の水流とは異なる流れとなり、隙間にも水が散布されるので、前記消火ノズルの防護領域全体に亘り均一な散水を行うことができる。
【実施例】
【００１２】
この発明の実施例を図１〜図５により説明する。
消火ノズル１０は、図示しない消火配管に連結されている。この消火ノズル１０は、ヘッド本体１２と、該ヘッド本体１２に螺着されるフレーム１４とを備えている。フレーム１４の上部側１４ａは直筒状に形成され、その下部側１４ｂは断面半円状に形成されている。前記フレーム１４には、多数の放水孔１６が形成されているが、その大きさ、形状、個数、位置等は必要に応じて適宜選択される。
【００１３】
フレーム１４内には、複数の拡散体１８が移動自在に挿入されている。この拡散体１８は、フレーム１４内の水流によって、該フレーム１４内を移動して前記水流を拡散させるものである。この拡散体として、前記放水孔１６の径より大きな径の球体、例えば、パチンコ玉等が用いられるが、その径の大きさや個数は必要に応じて適宜選択される。
なお、個数は、１個でも良いが、１個であると、球体１８が上方からの水流により押圧されると動きにくくなる恐れがあるので、複数個、例えば、４〜６個を用いることが好ましい。
又、拡散体は、ヘッド本体の放水口の内径より小さく、例えば、放水口の内径の半分以下として水流により動きやすくする。
【００１４】
次に、本実施例の作動について説明する。
まず、図2において、フレーム１４内には、球体１４の下部側は断面半円形状に形成されていることから、図2の両端側にある球体１８には、フレーム１４の中央下部に向かおうとする力が作用しており、不安定な状態にある。
この様な状態において、消火ノズル１０に水が供給されると、該水Ｗは、ヘッド本体１２からフレーム１４内に放出される。そうすると、球体１８は、水圧を受け、図４に示す位置１８Ａから図５に示す位置１８Ｂに移動する。
このとき、球体18に上方にかかる水圧だけでなく、断面半円形状のフレームの内壁面に沿って流れる水流が不安定な状態にある球体18にあたって球体18を動かそうとする。
【００１５】
前記球体１８が当接するフレーム１４の下部１４ｂは、断面半円形状なので、該球体１８は、フレーム１４内を上昇下降しながらスムーズに移動する。
【００１６】
そのため、放水孔１６は、前記球体１８より塞がれたり、開けられたりする。  又、前記球体１８は、複数個設けられているため、移動中に隣接する球体１８に衝突するので、該球体１８は水Ｗの力の他に、隣接する球体１８の衝撃力も受ける。そのため、より転がりやすくなるので、放水孔１６の開閉がより頻繁に行われる。
【００１７】
この際、球体１８に衝突した水Ｗは、進行方向を変えられて拡散するので、前記通常の場合における放水流Ｒとは異なる流れ２０を作り出す。この流れ２０が放水孔１６同士から出される放水流２２の間の隙間２４を補うので、散水分布を均一化させることができる。
【００１８】
この発明の実施例は、上記に限定されるものではなく、例えば、次のようにしても良い。
（１）拡散体として、球体の代わりに、円柱体を用いること。
（２）消火ノズルの上部に、水流を旋回させるためのワーラーを設け、球体を動きやすくすること。
（３）消火ノズルとして、マルチ型スプリンクラヘッドの様に、フレームに多数のスリット（放水孔）を形成した消火ノズルを用いること。
【図面の簡単な説明】
【００１９】
【図１】本発明の実施例を示す正面図である。
【図２】図１のII−II線断面図である。
【図３】図１の底面図である。
【図４】使用状態を示す要部拡大図である。
【図５】図４と異なる使用状態を示す要部拡大図である。
【図６】従来例を示す要部拡大図である。
【符号の説明】
【００２０】
１０    消火ノズル
１２    ヘッド本体
１４    フレーム
１４ａ  上部側
１４ｂ  下部側
１６    放水孔
１８    球体
２２    放水流
２４    隙間
【図１】
0004675795.tif 000002
【図２】
0004675795.tif 000003
【図３】
0004675795.tif 000004
【図４】
0004675795.tif 000005
【図５】
0004675795.tif 000006
【図６】
0004675795.tif 000007